(57)【要約】アッパーは、着用者の肌面側に配置された内皮と、内皮とは反対側に配置された外皮とを備え、踵部において内皮と外皮との間にスポンジ部材が収容され、スポンジ部材は、踵骨の内側を覆う内側部と、踵骨の外側を覆う外側部とを備え、スポンジ部材を平面図形に展開した展開図において、外側部に相当する部分の外側第１図心の高さが、内側部に相当する部分の内側第１図心の高さよりも高い位置に設定されている。【選択図】図５
2014064780.tif 000002
【特許請求の範囲】
【請求項１】
靴のアッパー１の踵部１０のフィット性能を向上させるためのアッパー構造であって、
前記アッパー１は、着用者の肌面側に配置された内皮１１と、前記内皮１１とは反対側に配置された外皮とを備え、前記踵部１０において前記内皮１１と外皮との間にスポンジ部材３が収容され、
前記スポンジ部材３は、踵骨Ｃａの内側を覆う内側部３４と、前記踵骨Ｃａの外側を覆う外側部３５とを備え、
前記スポンジ部材３を平面図形に展開した展開図において、前記外側部３５に相当する部分の外側第１図心Ｏ１０の高さが、前記内側部３４に相当する部分の内側第１図心Ｏ１１の高さよりも高い位置に設定されている。
【請求項２】
請求項１の構造において、前記内側部３４は距骨Ｔａの真下において前記踵骨Ｃａの下縁Ｃｅの少なくとも一部を覆い、前記外側部は前記踵骨Ｃａにおける外踝Ａ０の最下端点Ａｅと前記踵骨Ｃａの下縁Ｃｅとの間を２等分する点Ｏよりも真上の部位を覆う。
【請求項３】
請求項２の構造において、前記スポンジ部材３は厚さの薄い薄肉部３ａと、前記薄肉部３ａよりも厚い厚肉部３ｂとを備え、前記スポンジ部材３を展開した状態において前記厚肉部３ｂの周囲は前記薄肉部３ａに囲まれている。
【請求項４】
請求項３の構造において、前記厚肉部３ｂを平面図形に展開した展開図において、
前記厚肉部３ｂのうちの前記外側部に相当する部分の外側第２図心Ｏ２０の高さが、前記厚肉部３ｂのうちの前記内側部３４に相当する部分の内側第２図心Ｏ２１の高さよりも高い位置に設定されている。
【請求項５】
請求項３の構造において、前記厚肉部３ｂの下縁のライン３ｂＬが踵部１０の内側から背面を通って外側に延びるに従い斜め上方に向かって傾斜して延びている。
【請求項６】
請求項２の構造において、前記スポンジ部材３の下縁のライン３Ｌが踵部１０の内側から背面を通って外側に延びるに従い斜め上方に向かって傾斜して延びている。
【請求項７】
請求項３の構造において、前記スポンジ部材３は、
踵の背面から踵の内側面に沿って延びると共に踵の背面から踵の外側面に沿って延びる第１スポンジ板３１と、
第１スポンジ板３１における足の肌面側に積層され第１スポンジ板３１よりも小さい面積を有する第２スポンジ板３２とを備え、
第２スポンジ板３２は第１スポンジ板３１に接着、粘着又は溶着されて第１スポンジ板３１の一部において積層されており、
前記薄肉部３ａは前記第１スポンジ板３１における前記第２スポンジ板３２が積層されていない部分により形成され、
前記厚肉部３ｂは前記第１スポンジ板３１に前記第２スポンジ板３２が積層された部分で形成されている。
【請求項８】
請求項７の構造において、前記第２スポンジ板３２は前記第１スポンジ板３１よりも低反発の素材で形成されている。
【請求項９】
請求項７の構造において、前記第２スポンジ板３２は前記第１スポンジ板３１よりも低硬度の素材で形成されている。
【請求項１０】
請求項７の構造において、前記第２スポンジ板３２は前記第１スポンジ板３１よりも低反発かつ低硬度の素材で形成されている。
【請求項１１】
請求項２の構造において、前記スポンジ部材３を前記内側部３４と外側部３５とに分ける仮想の線ＣＬ上において、前記スポンジ部材３は踵骨隆起Ｃｐを真後から覆う背部３０を更に備え、かつ、前記スポンジ部材３は前記仮想の線ＣＬ上において下方に向かって括れ、前記踵骨隆起Ｃｐよりも上方を覆っていない括れ部３６を定義している。
【請求項１２】
靴のアッパー１の踵部１０のフィット性能を向上させるための構造であって、
前記アッパー１は、着用者の肌面側に配置された内皮１１と、前記内皮１１とは反対側の外皮とを備え、前記踵部１０において前記内皮１１と外皮との間にスポンジ部材３が収容され、
前記スポンジ部材３は、踵骨Ｃａの内側を覆う内側部３４と、前記踵骨Ｃａの外側を覆う外側部３５とを備え、
前記内側部３４は前記距骨Ｔａの真下において前記踵骨Ｃａの下縁Ｃｅの少なくとも一部を覆い、前記外側部３５は前記踵骨Ｃａにおける外踝Ａ０の下端と前記踵骨Ｃａの下縁Ｃｅとの間を２等分する点Ｏよりも真上の部位を覆い、
前記スポンジ部材３は踵の背面から踵の内側面に沿って延びると共に踵の背面から踵の外側面に沿って延びる第１スポンジ板３１と、第１スポンジ板３１における足の肌面側に積層され第１スポンジ板３１よりも小さい面積を有する第２スポンジ板３２とを備え、
第２スポンジ板３２は第１スポンジ板３１に接着、粘着又は溶着されて部分的に積層されている。
【請求項１３】
請求項１２の構造において、前記スポンジ部材３を前記内側部３４と外側部３５とに分ける仮想の線ＣＬ上において、前記スポンジ部材３は踵骨隆起Ｃｐを真後から覆う背部３０を更に備え、かつ、前記スポンジ部材３は前記仮想の線ＣＬ上において下方に向かって括れ、前記踵骨隆起Ｃｐよりも上方を覆っていない括れ部３６を定義している。
【請求項１４】
請求項１２の構造において、前記第２スポンジ板３２は前記第１スポンジ板３１よりも低反発及び／又は低硬度の素材で形成されている。
【発明の詳細な説明】
【技術分野】
【０００１】
本発明は踵部にスポンジ部材を備えたアッパーに関する。
【背景技術】
【０００２】
アッパーの踵部のフィット性を向上させるために踵部にスポンジ部材を備えた靴は周知である。
【先行技術文献】
【特許文献】
【０００３】
【特許文献１】ＪＰ２０１１−０４１５９０  Ａ（要約書）
【特許文献２】ＪＰ２０１０−０２２７９１  Ａ（要約書）
【発明の概要】
【０００４】
従来、足の形状の変化を十分に考慮したスポンジ部材の研究はなされていない。そのため、従来においてアッパーの足沿い（フィット性能）は今一つ十分でない。
【０００５】
したがって、本発明の目的はアッパーのフィット性能を向上させることのできる踵部にスポンジ部材を備えたアッパーを提供することである。
【０００６】
発明の原理
本発明の構成の説明に先立って、本発明者が行った実験および考察を通じて、本発明の原理について説明する。
【０００７】
図１Ａおよび図１Ｂに示すように、被験者の足に多数のマーカーＭを５行・５段のマトリクス状に付着させた。その静止立位におけるマーカーＭの画像を図１Ｃおよび図１Ｄに示す。なお、画像を見易くするために、マーカーＭ間を縦横にラインで繋いだ。
【０００８】
ついで、図２（ａ）〜(ｅ)に示すように、同被験者が走行し、図２（ａ）のヒールコンタクトＨＣ、図２（ｂ）のフットフラットＦＦ、図２（ｃ）のミッドスタンスＭＳ、図２（ｄ）のヒールライズＨＲおよび図２(ｅ)のトウオフＴＯの各タイミングにおいて、マーカーＭの画像を撮像した。
【０００９】
図２（ｆ）〜(ｊ)は背面の画像を示し、図２（ｋ）〜(ｏ)は外側面の画像を示す。これらの図において、Ｍ１は内踝に付したマーカーを示し、一方、Ｍ２は外踝に付したマーカーを示す。
【００１０】
まず、足の内側Ｍｅｄ．に着目して、図２（ｆ）〜(ｊ)を観察すると、全運動期間中を通じて、内踝のマーカーＭ１の下方は、下方に行くに従い大きく抉れているのが分かり、特に、トウオフＴＯ時に前記抉れが増大するのが分かる。したがって、足の内側Ｍｅｄ．については下部Ｆｕに厚いスポンジを挿入すれば、アッパーとのズレが小さくなることが予測される。
【００１１】
一方、足の外側Ｌａｔ．に着目して、図２（ｆ）〜(ｊ)を観察すると、全運動期間中を通じて、外踝のマーカーＭ２の下方は、外踝の直下の部位Ｆａが抉れているのが分かり、かつ、トウオフＴＯ時に前記抉れが小さくなるのが分かる。したがって、足の外側Ｌａｔ．については、外踝の直下である足の上部に厚いスポンジを挿入すれば、アッパーとのズレが小さくなることが予測される。
【００１２】
足の背面に着目して、図２（ｋ）〜(ｏ)を観察すると、ヒールコンタクトＨＣ〜ヒールライズＨＲまでの期間は外踝の後方、つまり、アキレス腱の部位が上方に向かうに従い大きく抉れているが、トウオフＴＯの瞬間に当該抉れが激減するのが分かる。一方、全期間を通じて、前記足の外側と概ね同じ高さの部位Ｆｂが抉れているのが分かる。この部位Ｆｂは踵骨隆起Ｃｐの背後であろうと推測される。踵骨隆起Ｃｐにはアキレス腱の下端部が付着しており、踵骨隆起Ｃｐよりも上の前記アキレス腱が運動中に大きく変位し、一方、踵骨隆起Ｃｐ自体は運動中も然程大きく変化しない。したがって、背面については、足の外側Ｌａｔ．と同程度の高さの踵骨隆起Ｃｐの部位に厚いスポンジを挿入すれば、アッパーとのズレが小さくなることが予測される。
【００１３】
つぎに、本発明者は前記仮説についての検証を下記の方法で行った。
まず、同じ構造の靴にスポンジ板の配置の互いに異なる３つのタイプの試作品を用意した。つまり、図３（ａ）〜(ｃ)に示すタイプ１、図３（ｄ）〜(ｆ)に示すタイプ２、図３（ｇ）〜(ｉ)に示すタイプ３の靴を用意した。各タイプは基本的に同じ構造の靴で、破線で示すスポンジ板Ｓｐの配置のみが互いに異なる。なお、１はアッパー、２はソールである。
【００１４】
つぎに、被験者が走行し、接地期間中のシューズと足の上下のズレ量を測定したところ、タイプ２がタイプ１,３に比べ上下のズレ量が小さいという測定結果が得られた。この結果は前記仮説と合致していると考えられ、前記仮説が正しいであろうことが分かる。
【００１５】
また、タイプ２において、スポンジ板Ｓｐの厚さを５ｍｍ、１０ｍｍ、１５ｍｍと変化させたところ、１０ｍｍおよび１５ｍｍのスポンジ板Ｓｐを装着した場合、特に前記ズレ量が小さくなった。
【００１６】
本発明のアッパー１は、着用者の肌面側に配置された内皮１１と、前記内皮１１とは反対側に配置された外皮１２とを備え、前記踵部１０において前記内皮１１と外皮１２との間にスポンジ部材３が収容され、
前記スポンジ部材３は、踵骨Ｃａの内側を覆う内側部３４と、前記踵骨Ｃａの外側を覆う外側部とを備え、
前記スポンジ部材３を平面図形に展開した展開図において、前記外側部に相当する部分の外側第１図心Ｏ１０の高さが、前記内側部３４に相当する部分の内側第１図心Ｏ１１の高さよりも高い位置に設定されている。
【００１７】
この場合、外側第１図心Ｏ１０の高さが内側第１図心Ｏ１１の高さよりも高い。従って、スポンジ部材３が足の窪み部分で、かつ、形状変化の少ない部位、つまり、足の内踝の真下の下部と足の外踝の直下の部位に配置されて、フィット性が向上するだろう。
【００１８】
本発明において、スポンジ部材とは合成樹脂の発泡体またはゴムの発泡体であって、外力が負荷されると容易に変形し、当該外力を取り除くと、概ね元の形状に復元するものをいう。スポンジ部材は所定の厚さのスポンジ板から切り取られ、又は、切り抜かれたものであってもよいし、あるいは、これらが金型内で二次成型されたものであってもよい。更に、スポンジ部材は個々に金型内で発泡かつ成型されたものであってもよい。
【００１９】
なお、本発明において、図心とは図形の中心を意味する。
【図面の簡単な説明】
【００２０】
【図１】図１Ａおよび図１Ｂは、それぞれ、足にマーカーを付した足の斜め背面図および斜め外側面図、図１Ｃおよび図１Ｄは、それぞれ、静止立位においてマーカーの位置を撮像した背面図および外側面図である。
【図２】図２はテスト方法およびテスト結果を示し、（ａ）〜（ｅ)はヒールコンタクトからトウオフまでのランニングフォームを示す概略側面図、（ｆ）〜（ｊ)はヒールコンタクトからトウオフまでの背面からのマーカーの撮像画像、（ｋ）〜（ｏ)は同外側面からのマーカーの撮像画像である。
【図３】図３はテストサンプルにおけるスポンジ板の配置を示し、（ａ）, （ｂ)および（ｃ)は、それぞれ、タイプ１のシューズの踵部の内側面図、背面図および外側面図、（ｄ）, （ｅ)および（ｆ）は、タイプ２のシューズの踵部の内側面図、背面図および外側面図、（ｇ）, （ｈ)および（ｉ）は、それぞれ、タイプ３のシューズの踵部の内側面図、背面図および外側面図である。
【図４】本発明の実施例１にかかるアッパーの概念的な横断面図である。
【図５】図５Ａ〜図５Ｄは同実施例１にかかり、図５Ａはスポンジ部材の平面図、図５Ｂは同断面図、図５Ｃはスポンジ部材と足との関係を示す内側面図、図５Ｄは同外側面図である。
【図６】図６Ａ〜図６Ｄは実施例２にかかり、図６Ａはスポンジ部材の平面図、図６Ｂは同断面図、図６Ｃはスポンジ部材と足との関係を示す内側面図、図６Ｄは同外側面図である。
【図７】図７Ａ〜図７Ｄは実施例３にかかり、図７Ａはスポンジ部材の平面図、図７Ｂは同断面図、図７Ｃはスポンジ部材と足との関係を示す内側面図、図７Ｄは同外側面図である。
【図８】図８Ａ〜図８Ｄは実施例４にかかり、図８Ａはスポンジ部材の平面図、図８Ｂは同断面図、図８Ｃはスポンジ部材と足との関係を示す内側面図、図８Ｄは同外側面図である。
【発明を実施するための形態】
【００２１】
好ましくは、前記内側部３４は距骨Ｔａの真下において前記踵骨Ｃａの下縁Ｃｅの少なくとも一部を覆い、前記外側部３５は前記踵骨Ｃａにおける外踝Ａ０の最下端点Ａｅと前記踵骨Ｃａの下縁Ｃｅとの間を２等分する点Ｏよりも真上の部位を覆う。
【００２２】
この場合、スポンジ部材３の内側部３４は距骨Ｔａの真下において括（くび）れた部分を埋める。一方、スポンジ部材３の外側部３５は外踝Ａ０の真下の直下において括（くび）れた部分を埋める。したがって、踵の内外の括れた部分が埋まり、アッパー１が踵にフィットし易いだろう
【００２３】
更に好ましくは、前記スポンジ部材３は厚さの薄い薄肉部３ａと、前記薄肉部３ａよりも厚い厚肉部３ｂとを備え、前記スポンジ部材３を展開した状態において前記厚肉部３ｂの周囲は前記薄肉部３ａに囲まれている。
【００２４】
この場合、厚肉部３ｂが薄肉部３ａに対し突出し、この突出した部位で踵の内外側面の三角形状の括れが埋められ易いだろう。
【００２５】
更に好ましくは、前記厚肉部３ｂを平面図形に展開した展開図において、
前記厚肉部３ｂのうちの前記外側部に相当する部分の外側第２図心Ｏ２０の高さが、前記厚肉部３ｂのうちの前記内側部３４に相当する部分の内側第２図心Ｏ２１の高さよりも高い位置に設定されている。
【００２６】
厚肉部３ｂの外側第２図心Ｏ２０の高さが厚肉部３ｂの内側第２図心Ｏ２１よりも高い。したがって、厚肉部３ｂが足の窪みないし括れた部分で、かつ、形状変化の少ない部位、つまり、足の内踝の真下の下部と足の外踝の直下に近い真下の部位に配置されて、フィット性能が更に向上するだろう。
【００２７】
好ましくは、前記厚肉部３ｂの下縁のライン３ｂＬが踵部１０の内側から背面を通って外側に延びるに従い斜め上方に向かって傾斜して延びている。
【００２８】
この場合、厚肉部３ｂは、踵部１０の内側において踵部１０の下部の隙間を埋め、踵部１０の背面側において踵骨隆起Ｃｐの背後の隙間を埋め、踵部１０の外側において踵部１０の上部の隙間を埋め易いだろう。
【００２９】
好ましくは、前記スポンジ部材３の下縁のライン３Ｌが踵部１０の内側から背面を通って外側に延びるに従い斜め上方に向かって傾斜して延びている。
【００３０】
この場合、スポンジ部材３は踵部１０の内側において踵部１０の下部の隙間を埋め、踵部１０の背面側において踵部１０の踵骨隆起Ｃｐの背後の隙間を埋め、踵部１０の外側において踵部１０の上部の隙間を埋め易いだろう。
【００３１】
好ましくは、前記スポンジ部材３は、
踵の背面から踵の内側面に沿って延びると共に踵の背面から踵の外側面に沿って延びる第１スポンジ板３１と、
第１スポンジ板３１における足の肌面側に積層され第１スポンジ板３１よりも小さい面積を有する第２スポンジ板３２とを備え、
第２スポンジ板３２は第１スポンジ板３１に接着、粘着又は溶着されて第１スポンジ板３１の一部において積層されており、
前記薄肉部３ａは前記第１スポンジ板３１における前記第２スポンジ板３２が積層されていない部分により形成され、
前記厚肉部３ｂは前記第１スポンジ板３１に前記第２スポンジ板３２が積層された部分で形成されている。
【００３２】
この例は、スポンジ部材３を二次成型等により金型内で成型する場合に比べ製造コストが著しく安いだろう。また、スポンジ部材３に密度の大きい部分が部分的に生じたりしない。
【００３３】
好ましくは、前記第２スポンジ板３２は前記第１スポンジ板３１よりも低反発の素材で形成されている
【００３４】
足の肌面側に配置された低反発の第２スポンジ板３２は足の表面に沿った形状を小さな圧力で維持するから足沿いに優れ、一方、高反発の第１スポンジ板３１は踵の形状が瞬間的に大きく変化した場合に、当該変化に追従し易いだろう。したがって、アッパーのフィット性能が更に向上するだろう。
【００３５】
本発明において、「低反発」とは、負荷された外力が取り除かれた後に元の形状に復元する速度が小さいことを意味する。したがって、両スポンジ板３１，３２に外力が負荷されると、高反発の第１スポンジ板３１が速く変形し、低反発の第２スポンジ板３２の変形が遅れるだろう。また、両スポンジ板３１，３２に負荷されていた前記外力が取り除かれると、第１スポンジ板３１が早く元の形状に復元し、第２スポンジ板３２の復元が第１スポンジ板３１よりも遅れる。
【００３６】
好ましくは、前記第２スポンジ板３２は前記第１スポンジ板３１よりも低硬度の素材で形成されている。
【００３７】
この場合、足の肌面側に配置された低硬度の第２スポンジ板３２は踵の肌面に対しソフトに接触するだろう。そのため、着用者は圧迫を感じにくいだろう。
【００３８】
更に好ましくは、前記第２スポンジ板３２は前記第１スポンジ板３１よりも低反発かつ低硬度の素材で形成されている。
この場合、更にフィット性が向上すると共に圧迫を感じにくいだろう。
【００３９】
本発明において、高硬度かつ高反発の第１スポンジ板３１の素材としては、例えば、ウレタンフォーム、シリコンフォーム等を用いることができ、一方、低硬度かつ低反発の素材としては、例えば、ウレタンフォーム、シリコンフォーム等を用いることができる。高反発の第１スポンジ板３１の素材は、通常のミッドソールや中敷に用いられるスポンジの素材よりも低反発であるが、前記低反発の第２スポンジ板３２の素材よりも比較的高反発となる。
【００４０】
また、第１スポンジ板３１の硬度としては、Ｆ硬度で４０〜９０度が好ましく、５５〜９０度が更に好ましく、７０〜９０度が特に好ましく、７５〜８５度が最も好ましい。
一方、第２スポンジ板３２の硬度としては、Ｆ硬度で１０〜８０度が好ましく、１０〜５０度が更に好ましく、１０〜３０度が特に好ましく、１５〜２５度が最も好ましい。
上記のＦ硬度は、アスカーゴム硬度計Ｆ型（高分子計器株式会社製）によって測定して得られる値である。なお、第１スポンジ板３１の硬度および第２スポンジ板３２の硬度をＪＩＳＣ硬度計で測定するとほぼ０度となる。
【００４１】
好ましくは、前記スポンジ部材３を前記内側部３４と外側部３５とに分ける仮想の線ＣＬ上において、前記スポンジ部材３は踵骨隆起Ｃｐを真後から覆う背部３０を更に備え、かつ、前記スポンジ部材３は前記仮想の線ＣＬ上において下方に向かって括れ、前記踵骨隆起Ｃｐよりも上方を覆っていない括れ部３６を定義している。
この場合、踵骨隆起Ｃｐと背後のアッパーの部位との間に生じ易い隙間を前記背部３０が埋め、フィット性能が向上するだろう。一方、括れ部３６はアキレス腱の大きな変位ないし変形を許容し、そのため、アキレス腱の運動の妨げが生じにくいだろう。
【００４２】
本発明の別の態様においては、前記アッパー１は、着用者の肌面側に配置された内皮１１と、前記内皮１１とは反対側の外皮とを備え、前記踵部１０において前記内皮１１と外皮との間にスポンジ部材３が収容され、
前記スポンジ部材３は、踵骨Ｃａの内側を覆う内側部３４と、前記踵骨Ｃａの外側を覆う外側部３５とを備え、
前記内側部３４は前記距骨Ｔａの真下において前記踵骨Ｃａの下縁Ｃｅの少なくとも一部を覆い、前記外側部３５は前記踵骨Ｃａにおける外踝Ａ０の下端と前記踵骨Ｃａの下縁Ｃｅとの間を２等分する点Ｏよりも真上の部位を覆い、
前記スポンジ部材３は踵の背面から踵の内側面に沿って延びると共に踵の背面から踵の外側面に沿って延びる第１スポンジ板３１と、第１スポンジ板３１における足の肌面側に積層され第１スポンジ板３１よりも小さい面積を有する第２スポンジ板３２とを備え、
第２スポンジ板３２は第１スポンジ板３１に接着、粘着又は溶着されて部分的に積層されている。
【００４３】
この場合、スポンジ部材３の内側部３４は距骨Ｔａの真下において括（くび）れた部分を埋める。一方、スポンジ部材３の外側部３５は外踝Ａ０の真下の直下において括（くび）れた部分を埋める。したがって、踵の内外の括れた部分が埋まり、アッパー１が踵にフィットし易いだろう。
【００４４】
本発明は、添付の図面を参考にした以下の好適な実施例の説明からより明瞭に理解されるであろう。しかしながら、実施例および図面は単なる図示および説明のためのものであり、本発明の範囲を定めるために利用されるべきものではない。本発明の範囲は請求の範囲によってのみ定まる。添付図面において、複数の図面における同一の部品番号は、同一または相当部分を示す。
【実施例】
【００４５】
以下、本発明の実施例が図面にしたがって説明される。
図４〜図５Ｄは実施例１を示す。【００４６】
図４に示すように、前記アッパー１は、着用者の肌面側に配置された内皮１１と、前記内皮１１とは反対側に配置された外皮１２とを備える。前記踵部１０において前記内皮１１と外皮１２との間にスポンジ部材３が収容されている。
なお、スポンジ部材３は靴の製造時に大きく圧縮変形等されるが、図４ではスポンジ部材３の概念的な配置のみを示している。また、６は中底である。【００４７】
前記内皮１１としては、伸縮性や通気性に優れた織物、網物の他、メッシュ材等が用いられてもよい。一方、外皮１２としては、保形性に優れた合成皮革や合成樹脂の非発泡体からなるプレートやテープ材の他、メッシュ材等が用いられてもよい。【００４８】
なお、内皮１１および外皮１２は、それぞれ、単層で形成されてもよく、あるいは、複数層で形成されてもよい。また、周知のヒールカウンタや芯材が配置されてもよい。【００４９】
本実施例においては、スポンジ部材３は第１〜第３スポンジ板３１〜３３を備える。第１スポンジ板３１と第２スポンジ板３２とは互いに接着、粘着又は溶着されて部分的に積層されている。また、第２スポンジ板３２と第３スポンジ板３３とは、互いに接着、粘着又は溶着されて部分的に積層されている。【００５０】
前記第１スポンジ板３１は高反発かつ高硬度のスポンジで形成されている。一方、第２および第３スポンジ板３２，３３は低反発かつ低硬度のスポンジで形成されている。
なお、第３スポンジ板３３は第２スポンジ板３２と同じ物理的性質を有するものが用いられてもよい。【００５１】
図５Ａ〜図５Ｄに示すように前記第１スポンジ板３１は踵の背面から踵の内側面に沿って延びると共に踵の背面から踵の外側面に沿って延びる。図４のように第２スポンジ板３２は第１スポンジ板３１における足の肌面側に積層され、図５Ａのように、第１スポンジ板３１よりも小さい面積を有する。図４の前記第３スポンジ板３３は前記第２スポンジ板３２における足の肌面側（内皮１１側）に積層され、図５Ａのように、第２スポンジ板３２よりも更に小さい面積を有する。【００５２】
前記スポンジ部材３は、図５Ｃの踵骨Ｃａの内側を覆う内側部３４と、図５Ｄの前記踵骨Ｃａの外側を覆う外側部３５とを備える。図４の前記内側部３４と外側部３５とは踵部１０（図４）の内外の中心線（仮想の線）ＣＬによって二分される。【００５３】
こうして、図５Ｂに示すように、前記スポンジ部材３は厚さの薄い薄肉部３ａと、前記薄肉部３ａよりも厚い厚肉部３ｂとを備える。図５Ａの前記スポンジ部材３を展開した状態において前記厚肉部３ｂの周囲は前記薄肉部３ａに囲まれている。【００５４】
すなわち、前記薄肉部３ａは前記第１スポンジ板３１における前記第２スポンジ板３２が積層されていない部分により形成されている。一方、前記厚肉部３ｂは前記第１スポンジ板３１に前記第２スポンジ板３２が積層された部分で形成されている。【００５５】
なお、図５Ｂのように３層の場合、前記スポンジ部材３は前記厚肉部３ｂよりも更に厚い最厚肉部３ｃを備える。図５Ａの前記スポンジ部材３を展開した状態において前記最厚肉部３ｃの周囲は前記厚肉部３ｂに囲まれている。【００５６】
図５Ａ、図５Ｃおよび図５Ｄに示すように、前記スポンジ部材３の下縁のライン３Ｌは踵部１０の内側から背面を通って外側に延びるに従い斜め上方に向かって傾斜して延びている。こうして、図５Ａのスポンジ部材３を平面図形に展開した展開図において、前記外側部３５に相当する部分の図心つまり外側第１図心Ｏ１０の高さは、前記内側部３４に相当する部分の図心つまり内側第１図心Ｏ１１の高さよりも高い位置に設定されている。【００５７】
また、図５Ａ、図５Ｃおよび図５Ｄに示すように、前記厚肉部３ｂの下縁および上縁のライン３ｂＬは踵部１０の内側から背面を通って外側に延びるに従い斜め上方に向かって傾斜して延びている。こうして、図５Ａの展開図において、前記厚肉部３ｂのうちの前記外側部３５に相当する部分の外側第２図心Ｏ２０の高さは、前記厚肉部３ｂのうちの前記内側部３４に相当する部分の内側第２図心Ｏ２１の高さよりも高い位置に設定されている。【００５８】
図５Ａの前記仮想の中心線ＣＬ上において、前記第１スポンジ板３１は踵骨隆起Ｃｐ（図５Ｃ）を真後から覆う背部３０を更に備える。前記第１スポンジ板３１は、内外の中心である前記中心線ＣＬ上において、上縁が下方に向かって括れた括れ部３６を有する。この括れ部３６により、第１スポンジ板３１は踵骨隆起Ｃｐよりも上方を覆っておらず前記第１スポンジ板３１は図２（ｏ）のトウオフ時においてアキレス腱に圧迫を感じさせないだろう。一方、図５Ａの前記括れ部３６の両側において上方へ突出する凸部３７，３７は、踵の内外側面のフィット感を高めるだろう。【００５９】
図５Ｃの前記内側部３４の第１スポンジ板３１は距骨Ｔａの真下において前記踵骨Ｃａの下縁Ｃｅの少なくとも一部を覆い、内踝Ａ１の後方において踵骨Ｃａの下半分の大半を覆う。前記内側部３４の第２スポンジ板３２は前記踵骨Ｃａにおける内踝Ａ１の最下端点Ａｅと前記踵骨Ｃａの下縁Ｃｅとの間を２等分する点Ｏ１よりも下方の部位を覆い、かつ、前記点Ｏ１よりも上方の部位を覆わない。【００６０】
前記外側部３５の第１および第２スポンジ板３１，３２は前記踵骨Ｃａにおける外踝Ａ０の最下端点Ａｅと前記踵骨Ｃａの下縁Ｃｅとの間を２等分する点Ｏよりも真上の部位と真下の部位の双方を覆う。【００６１】
前記第１スポンジ板３１は図５Ｃの足の内側において内踝Ａ１の最下端点Ａｅよりも前方まで延び、かつ、図５Ｄの足の外側において、外踝Ａ０の最下端点Ａｅよりも前方まで延びている。【００６２】
前記第２スポンジ板３２は図５Ｃの足の内側において内踝Ａ１の後端Ａｂよりも前方に延び、かつ、図５Ｄの足の外側において、外踝Ａ０の後端Ａｂよりも前方に延びている。【００６３】
前記第１スポンジ板３１、第２スポンジ板３２および第３スポンジ板３３は、それぞれ、内側部３４の面積が外側部３５の面積に比べ大きい。なお、足の最下端部については、アッパー１自体に巻き上げ部が形成されたり、あるいは、中敷に巻き上げ部が形成されたりする場合が多く、この場合、内側Ｍｅｄ．についてもスポンジ部材３を設ける必要がないだろう。【００６４】
以下の例においては、実施例１と同一ないし相当部分については同一符号を付して説明を省略し、異なる点について主に説明する。【００６５】
なお、図６Ａ〜図６Ｄに示す実施例２のように、前記第３スポンジ板３３は足の外側の面積が足の内側の面積よりも大きくてもよい。【００６６】
図７Ａ〜図７Ｄは実施例３を示す。
本実施例においては、第３スポンジ板３３が設けられていない。この場合、第１および第２スポンジ板３１，３２の厚さは、前記実施例１および２に比べ厚くするのが好ましいだろう。【００６７】
各実施例においては、各スポンジ板３１，３２の厚さは、５〜１５ｍｍ程度が好ましく、７〜１２ｍｍ程度が更に好ましい。【００６８】
図７Ａに示すように、本実施例３においては、第２スポンジ板３２は中心線ＣＬの部位に下方に向かって括れた括れ部３８を有する。この括れ部３８は前記括れ部３６と協動して、アキレス腱の圧迫を更に生じにくくするだろう。【００６９】
図７Ａ、図７Ｃおよび図７Ｄに示すように、第２スポンジ板３２は内側部３４が外側部３５に比べ著しく大きな面積を有する。図７Ｃの内側部３４において第２スポンジ板３２は内踝Ａ１の後端Ａｂよりも前方に延び、一方、図７Ｄの外側部３５において第２スポンジ板３２は外踝Ａ０の後端Ａｂまで延びておらず、踵骨Ｃａの前半分を覆っておらず、かつ、踵骨Ｃａの後部を覆っている。【００７０】
図８Ａ〜図８Ｄは実施例４を示す。
この例においては、内側部３４と外側部３５とが中心線ＣＬを中心に概ね線対称の形状を有する。【００７１】
本実施例において、第１スポンジ板３１の前記内側部３４は前記距骨Ｔａの真下において前記踵骨Ｃａの下縁Ｃｅの少なくとも一部を覆う。一方、第１スポンジ板３１の前記外側部３５は前記踵骨Ｃａにおける外踝Ａ０の下端と前記踵骨Ｃａの下縁Ｃｅとの間を２等分する点Ｏよりも真上の部位を覆う。【００７２】
図８Ａの第２スポンジ板３２の両端には第１スポンジ板３１の上縁のラインと一致する凸部３９，３９が形成されている。この凸部３９は第１スポンジ板３１と第２スポンジ板３２とを位置決めするのに役立つであろう。【００７３】
本実施例の概ね線対称の形状を有するスポンジ部材３は、実施例１〜３に比べフィット性能は低下するかもしれない。しかし、第１スポンジ板３１の上に第２スポンジ板３２が部分的に積層されており、スポンジ部材３は足とアッパー１との隙間を埋め、フィット性の向上がある程度期待できる。特に、第２スポンジ板３２を第１スポンジ板３１に比べ低硬度かつ低反発に設定することで足沿いが向上するだろう。【００７４】
一方、対称の形状を有する本実施例４は、左足用および右足用の双方を用意する必要がある前記各実施例１〜３に比べ生産性が向上する上、製造時に左足用と右足用とを間違えて装着することもない。【００７５】
以上のとおり、図面を参照しながら好適な実施例を説明したが、当業者であれば、本明細書を見て、自明な範囲内で種々の変更および修正を容易に想定するであろう。【００７６】
たとえば、各スポンジ板は互いに同一硬度かつ同一の反発性能を有していてもよい。
また、スポンジ部材は内側と外側とで２分割されていてもよいし、内側、背面および外側で３分割されていてもよい。【００７７】
したがって、そのような変更および修正は、本発明の範囲のものと解釈される。【００７８】
本発明はアッパーの踵部に適用できる。
【符号の説明】
【００７９】
１：アッパー  １０：踵部  １１：内皮  １２：外皮
２：ソール
３：スポンジ部材  ３０：背部  ３１：第１スポンジ板  ３２：第２スポンジ板  ３３：第３スポンジ板  ３４：内側部  ３５：外側部  ３６：括れ部  ３７：凸部  ３８：括れ部  ３９：凸部
３ａ：薄肉部  ３ｂ：厚肉部  ３ｃ：最厚肉部  ３ｂＬ：厚肉部の下縁のライン  
３Ｌ：スポンジ部材の下縁のライン
６：中底
Ａ０：外踝  Ａ１：内踝  Ａｅ：最下端点  Ａｂ：後端
Ｃａ：踵骨  Ｃｅ：踵骨の下縁  Ｃｐ：踵骨隆起
ＣＬ：中心線
Ｆａ：外踝の真下の部位  Ｆｂ：足の外側と同じ高さの部位  Ｆｕ：下部
Ｍ：マーカー  Ｍ１：内踝に付したマーカー  Ｍ２：外踝に付したマーカー
Ｏ，Ｏ１：２等分する点
Ｏ１０：外側第１図心  Ｏ１１：内側第１図心  Ｏ２０：外側第２図心  
Ｏ２１：内側第２図心
Ｓｐ：スポンジ板
Ｔａ：距骨  
【図１】
2014064780.tif 000003
【図２】
2014064780.tif 000004
【図３】
2014064780.tif 000005
【図４】
2014064780.tif 000006
【図５】
2014064780.tif 000007
【図６】
2014064780.tif 000008
【図７】
2014064780.tif 000009
【図８】
2014064780.tif 000010
【手続補正書】
【提出日】平成28年4月22日(2016.4.22)
【手続補正１】
【補正対象書類名】特許請求の範囲
【補正対象項目名】全文
【補正方法】変更
【補正の内容】
【特許請求の範囲】
【請求項１】
靴のアッパー１の踵部１０のフィット性能を向上させるためのアッパー構造であって、
前記アッパー１は、着用者の肌面側に配置された内皮１１と、前記内皮１１とは反対側に配置された外皮とを備え、前記踵部１０において前記内皮１１と外皮との間にスポンジ部材３が収容され、
前記スポンジ部材３は、踵骨Ｃａの内側を覆う内側部３４と、前記踵骨Ｃａの外側を覆う外側部３５とを備え、
前記スポンジ部材３を平面図形に展開した展開図において、前記外側部３５に相当する部分の外側第１図心Ｏ１０の高さが、前記内側部３４に相当する部分の内側第１図心Ｏ１１の高さよりも高い位置に設定されている。
【請求項２】
請求項１の構造において、前記内側部３４は距骨Ｔａの真下において前記踵骨Ｃａの下縁Ｃｅの少なくとも一部を覆い、前記外側部は前記踵骨Ｃａにおける外踝Ａ０の最下端点Ａｅと前記踵骨Ｃａの下縁Ｃｅとの間を２等分する点Ｏよりも真上の部位を覆う。
【請求項３】
請求項２の構造において、前記スポンジ部材３は厚さの薄い薄肉部３ａと、前記薄肉部３ａよりも厚い厚肉部３ｂとを備え、前記スポンジ部材３を展開した状態において前記厚肉部３ｂの周囲は前記薄肉部３ａに囲まれている。
【請求項４】
請求項３の構造において、前記厚肉部３ｂを平面図形に展開した展開図において、
前記厚肉部３ｂのうちの前記外側部に相当する部分の外側第２図心Ｏ２０の高さが、前記厚肉部３ｂのうちの前記内側部３４に相当する部分の内側第２図心Ｏ２１の高さよりも高い位置に設定されている。
【請求項５】
請求項３の構造において、前記厚肉部３ｂの下縁のライン３ｂＬが踵部１０の内側から背面を通って外側に延びるに従い斜め上方に向かって傾斜して延びている。
【請求項６】
請求項２の構造において、前記スポンジ部材３の下縁のライン３Ｌが踵部１０の内側から背面を通って外側に延びるに従い斜め上方に向かって傾斜して延びている。
【請求項７】
請求項３の構造において、前記スポンジ部材３は、
踵の背面から踵の内側面に沿って延びると共に踵の背面から踵の外側面に沿って延びる第１スポンジ板３１と、
第１スポンジ板３１における足の肌面側に積層され第１スポンジ板３１よりも小さい面積を有する第２スポンジ板３２とを備え、
第２スポンジ板３２は第１スポンジ板３１に接着、粘着又は溶着されて第１スポンジ板３１の一部において積層されており、
前記薄肉部３ａは前記第１スポンジ板３１における前記第２スポンジ板３２が積層されていない部分により形成され、
前記厚肉部３ｂは前記第１スポンジ板３１に前記第２スポンジ板３２が積層された部分で形成されている。
【請求項８】
請求項７の構造において、前記第２スポンジ板３２は前記第１スポンジ板３１よりも低反発の素材で形成されている。
【請求項９】
請求項７の構造において、前記第２スポンジ板３２は前記第１スポンジ板３１よりも低硬度の素材で形成されている。
【請求項１０】
請求項７の構造において、前記第２スポンジ板３２は前記第１スポンジ板３１よりも低反発かつ低硬度の素材で形成されている。
【請求項１１】
請求項２の構造において、前記スポンジ部材３を前記内側部３４と外側部３５とに分ける仮想の線ＣＬ上において、前記スポンジ部材３は踵骨隆起Ｃｐを真後から覆う背部３０を更に備え、かつ、前記スポンジ部材３は前記仮想の線ＣＬ上において下方に向かって括れ、前記踵骨隆起Ｃｐよりも上方を覆っていない括れ部３６を定義している。
【請求項１２】
靴のアッパー１の踵部１０のフィット性能を向上させるための構造であって、
前記アッパー１は、着用者の肌面側に配置された内皮１１と、前記内皮１１とは反対側の外皮とを備え、前記踵部１０において前記内皮１１と外皮との間にスポンジ部材３が収容され、
前記スポンジ部材３は、踵骨Ｃａの内側を覆う内側部３４と、前記踵骨Ｃａの外側を覆う外側部３５とを備え、
前記内側部３４は距骨Ｔａの真下において前記踵骨Ｃａの下縁Ｃｅの少なくとも一部を覆い、前記外側部３５は前記踵骨Ｃａにおける外踝Ａ０の下端と前記踵骨Ｃａの下縁Ｃｅとの間を２等分する点Ｏよりも真上の部位を覆い、
前記スポンジ部材３は踵の背面から踵の内側面に沿って延びると共に踵の背面から踵の外側面に沿って延びる第１スポンジ板３１と、第１スポンジ板３１における足の肌面側に積層され第１スポンジ板３１よりも小さい面積を有する第２スポンジ板３２とを備え、
第２スポンジ板３２は第１スポンジ板３１に接着、粘着又は溶着されて部分的に積層されている。
【請求項１３】
請求項１２の構造において、前記スポンジ部材３を前記内側部３４と外側部３５とに分ける仮想の線ＣＬ上において、前記スポンジ部材３は踵骨隆起Ｃｐを真後から覆う背部３０を更に備え、かつ、前記スポンジ部材３は前記仮想の線ＣＬ上において下方に向かって括れ、前記踵骨隆起Ｃｐよりも上方を覆っていない括れ部３６を定義している。
【請求項１４】
請求項１２の構造において、前記第２スポンジ板３２は前記第１スポンジ板３１よりも低反発及び／又は低硬度の素材で形成されている。
【国際調査報告】
2014064780.tif 000011
2014064780.tif 000012
2014064780.tif 000013
2014064780.tif 000014
2014064780.tif 000015